(57)【特許請求の範囲】
【請求項１】
小型回転ブラシを設けたブラシノズルに回転駆動用のエアーモーターを組込み、このブラシノズルの流入側に送気ホースを介して充填式かつ可搬式のエアータンクを接続し、流出側を、先端を噴出口とする送気配管としてこの送気配管の入口側でエアーモーターの流出側に逆止弁を配設し、また、洗剤タンクを前記エアータンクに付設し、この洗剤タンクからの送液ホースを前記ブラシノズルの送気配管に導いて洗剤を小型回転ブラシに散布可能としたことを特徴とした洗浄機。
【請求項２】
送液ホースの先端はブラシノズルにオリフィス構造として結合する請求項１記載の洗浄機。
【請求項３】
小型回転ブラシはブラシノズルに対して脱着可能とする請求項１または請求項２記載の洗浄機。
【発明の詳細な説明】
【０００１】
【発明の属する技術分野】
本発明は、自動車等の車両のタイヤで、特にホイール等の清掃に適する洗浄機に関するものである。
【０００２】
【従来の技術】
近年の自動車等の車両におけるタイヤホイールの洗浄は、人が中性洗剤をホイールに吹き掛け、小型のブラシ等で手で汚れを擦り取る方法や、アルカリ性の薬剤をホイールに散布し、汚れが浮き上がった所で水を流す、その後は細部を人が小型ブラシで手で擦り取るなどの方法が取られている。
【０００３】
または、図４示すように門型洗車機１の洗浄ブラシにて、自動的に汚れを落とす方法で作業を行っているのが主流である。門型洗車機１は門型に形成され、地面に敷設されたレール２上を転輪３の回転によって移動するもので、この転輪３は移動用のモータ４から回転を伝達される。
【０００４】
門型洗車機１の内部には車両の側面を洗浄するサイドブラシ６、車両の上面を洗浄するトップブラシ７とともに車両の側面下半部を洗浄するロッカーブラシ５を備え、このロッカーブラシ５は図示しないモータの駆動により回転制御されており、スイングアーム８の一端に軸支されている。さらに、スイングアーム８はエアシリンダ９により駆動され、ロッカーブラシ５を左右方向に揺動する。
【０００５】
また、門型洗車機１は投光部30ａおよび受光部30ｂからなるセンサ30を備え、センサ30の投光部30ａおよび受光部30ｂには、複数個の投光素子および受光素子を上下方向に対向して配置した。このセンサ30は、車両先端を検知してから車両後端を検知するまでの間に投光素子の光を受光してオンした受光素子の個数を検出することによって車両の形状を検出する。
【０００６】
タイヤ部分は特にロッカーブラシ５により清掃する。
【０００７】
【発明が解決しようとする課題】
前者の２つの洗浄方法は、人が手でブラシを動かし汚れを落とすため、重労働で、効率的ではない。また、薬剤散布に関しては、十分な水洗作業を怠ると、ホイール表面のクリアコーティングが剥離したり、薬剤が乾燥し、白い皮膜がこびり付いたりする等の問題点を抱えている。
【０００８】
一方、図４に示すような門型洗車機１による洗浄は、特にタイヤホイール部分の中には図５に示すようにメッシュタイプのホイール28もあり、形状が複雑であり、ロッカーブラシ５のようなブラシでは刷毛先が細部に行き渡らないので細部の汚れまで落とすことができない。
【０００９】
自動車のうち、ヨーロッパ車の設計思想はブレーキ周りの開発コンセプトに140Km ／h からの減速を考えており、その為、国産車よりも柔らかい材質のパッドを使用している。
【００１０】
また、バッテリー搭載のエコ自動車はバッテリーを含む車両重量により通常の車より制動時に前輪のブレーキに負担がかかる。
【００１１】
ヨーロッパ車、エコ自動車いずれの場合も後輪に比べて前輪のブレーキパッドの磨耗が激しく、削れたパッド粉により前輪ホイールが著しく汚れるもので、削れたカーボン（パッド粉）がタイヤホイールのアルミ削り出しのメジに入り込み、赤茶色に汚れる。また、高速走行からの減速は、熱でカーボンが焼き付いてしまう。
【００１２】
さらに、国産小型車の場合は前輪のみディスクブレーキを採用しており、前輪の汚れは避けられない。
【００１３】
本発明の目的は前記従来例の不都合を解消し、機械的な洗浄で、細部まで洗浄可能なものとして、自動車等の車両におけるタイヤホイール洗浄等も効果的に行える洗浄機を提供することにある。
【００１４】
【課題を解決するための手段】
本発明は前記目的を達成するため、第１に、小型回転ブラシを設けたブラシノズルに回転駆動用のエアーモーターを組込み、このブラシノズルの流入側に送気ホースを介して充填式かつ可搬式のエアータンクを接続し、流出側を、先端を噴出口とする送気配管としてこの送気配管の入口側でエアーモーターの流出側に逆止弁を配設し、また、洗剤タンクを前記エアータンクに付設し、この洗剤タンクからの送液ホースを前記ブラシノズルの送気配管に導いて洗剤を小型回転ブラシに散布可能としたことを要旨とするものである。
【００１５】
請求項１の本発明によれば、エアータンクに充填したエアーがブラシノズルに送られて、エアーモーターにより小型回転ブラシが回転駆動され、ブラシノズルを手で握り、この小型回転ブラシをタイヤホイールに当てればホイールの洗浄を行うことができる。また、同時に、小型回転ブラシに洗剤タンクからの洗剤が散布されて洗浄効果を高め、ホイールの細部まで洗浄可能となる。
【００１６】
しかも、エアータンクともども全体が可搬式で、自由に移動でき、これに加えて駆動源が空気であることから、特別の防爆構造とせずともガソリン給油所における防爆エリアでの使用が可能である。
【００１７】
請求項２記載の本発明によれば、前記作用に加えて、オリフィス構造を採用することで、ポンプ等の機器を使用しなくてもエアーの流れを利用して洗剤タンクから洗剤を吸い上げることができ、装置をハンディータイプのコンパクトなものとすることができ、しかもエアーはエアーモーター駆動用のエアータンクからの分流エアーを利用できる。
【００１８】
請求項３記載の本発明によれば、小型回転ブラシはブラシノズルに対して脱着可能とすることで、用途に応じた異形状のブラシを選択でき、また、磨耗したブラシの交換も簡単に行うことができる。
【００１９】
【発明の実施の形態】
以下、図面について本発明の実施形態を詳細に説明する。図１は本発明の洗浄機の１実施形態を示す縦断側面図で、小型回転ブラシ10を設けたブラシノズル11とエアータンク12とからなる。
【００２０】
ブラシノズル11は手で握ることができるホルダー状のケーシング13内に、フィン14ａを回転素子とする回転駆動用のエアーモーター14を組込み、フィン14ａに垂直に取り付けたシャフト14ｂに小型回転ブラシ10の着脱用のカップリング15を設けた。図２にこのエアーモーター14の概要を示す。14ｃは小孔によるエアー流路である。
【００２１】
前記ケーシング13内では、エアーモーター14は隔壁により流入側、流出側に跨がるように設置され、このうち流入側ではストップ弁16を介在させ、これが送気ホース17を介して前記エアータンク12に接続する。
【００２２】
また、流出側は隘路送気配管18として形成し、さらにその先端を前記小型回転ブラシ10に対しての噴出口19としてノズル状に構成し、また、途中は合流部によるオリフィス構造20と、その流入側に逆止弁21を配設した。
【００２３】
前記ストップ弁16はケーシング13の外周で、このケーシング13に沿って握り可能なレバー22により開閉操作できるものとした。
【００２４】
エアータンク12はエアー漏れ防止のチャッキ弁を設けたエアー充填口12ａを有する充填式のもので、かつ人の手で持ち運べる可搬式のものである。図示の例ではエアータンク12は球形で設置用のベースプレート12ｂを有するものとした。このエアータンク12に透明または半透明の樹脂ケースからなり、内部の洗剤残量を目視で確認できる洗剤タンク23を付設し、この洗剤タンク23からの送液ホース24を前記ブラシノズル11のオリフィス構造20にチャッキ弁25を介して接続する。図中26は洗剤タンク23に設けた目盛りである。
【００２５】
前記小型回転ブラシ10は柄部分をカップリング15に結合することでブラシノズル11に着脱でき、図示のごとき複数の異形状のブラシを選択できる。
【００２６】
次に使用法および動作について説明する。エアータンク12内にはエアー充填口12ａを介してコンプレッサ等で空気が充填され、また、洗剤タンク23には洗剤27が充填されている。
【００２７】
本発明の洗浄機はブラシノズル11はエアータンク12ともども全体が可搬式で、自由に移動でき、これに加えて駆動源がエアータンク12からの空気であることから、ガソリン給油所における防爆エリアでの使用が可能である。
【００２８】
図３に示すように、自動車等の車両のタイヤのホイール28を洗浄する場合について説明する。ブラシノズル11部分を手で握り、レバー22を引き上げストップ弁16が開勢され、エアータンク12からのエアーがエアーモーター14を通過し、フィン14ａの回転でエアーモーター14の駆動がなされる。これにより、小型回転ブラシ10が回転する。
【００２９】
エアーモーター14を通過してエアーは送気配管18から噴出口19を介して小型回転ブラシ10に吹き付けられるが、その際、オリフィス構造20を通過して送液ホース24に吸引力を与え、洗剤タンク23からの洗剤27が送液ホース24を介して吸い上げられ、小型回転ブラシ10に散布される。
【００３０】
このようにしてエアータンク12に充填したエアーにより交換式の小型回転ブラシ10を回転させ、ホイール28の洗浄を行う。小型回転ブラシ10の回転中、ブラシ部は前記のごとく洗剤27を散布し洗浄効果を高め、ホイール28の細部まで洗浄可能である。
【００３１】
なお、逆止弁21は送液ホース24内の洗剤27がエアーモーター14方向に流れ込まないようにするものであり、チャッキ弁25は送液ホース24内の洗剤27が洗剤タンク23に落下するのを防止する。
【００３２】
レバー22を引き上げれば運転が停止するが、レバー22を引き下げれば、小型回転ブラシ10が回転しない場合はエアータンク12が空の状態であり、エアー充填口12ａよりエアーの充填を行う。
【００３３】
以上の使用例は自動車等の車両のタイヤのホイール28を洗浄する場合について説明したが、洗浄対象は特にこれに限定されるものでなく、給油所での使用、もしくは自動車以外でも広く利用可能なものである。
【００３４】
【発明の効果】
以上述べたように本発明の洗浄機は、機械的な洗浄で、細部まで洗浄可能なものとして、自動車等の車両におけるタイヤホイール洗浄等も効果的に行えるものである。
【図面の簡単な説明】
【図１】  本発明の洗浄機の１実施形態を示す縦断側面図である。
【図２】  図１のＡ−Ａ線矢視図である。
【図３】  タイヤホイール洗浄を示す斜視図である。
【図４】  従来例を示す説明図である。
【図５】  ホイールの正面図である。
【符号の説明】
１…門型洗車機                        ２…レール
３…転輪                              ４…モータ
５…ロッカーブラシ                    ６…サイドブラシ
７…トップブラシ                      ８…スイングアーム
９…エアシリンダ                      10…小型回転ブラシ
11…ブラシノズル                      12…エアータンク
12ａ…エアー充填口                    12ｂ…ベースプレート
13…ケーシング                        14…エアーモーター
14ａ…フィン                          14ｂ…シャフト
14ｃ…エアー流路                      15…カップリング
16…ストップ弁                        17…送気ホース
18…送気配管                          19…噴出口
20…オリフィス構造                    21…逆止弁
22…レバー                            23…洗剤タンク
24…送液ホース                        25…チャッキ弁
26…目盛り                            27…洗剤
28…ホイール
30…センサ
30ａ…投光部                          30ｂ…受光部
【図１】
0003760709.tif 000002
【図２】
0003760709.tif 000003
【図３】
0003760709.tif 000004
【図４】
0003760709.tif 000005
【図５】
0003760709.tif 000006